(57)【要約】【課題】吐出された機能水により排水栓の上面における黴の発生や細菌の繁殖を抑制することができる洗面化粧台を提供することを目的とする。【解決手段】排水口が設けられたボウル部および前記排水口を開閉可能な排水栓を有する洗面台と、前記ボウル部に水道水を吐出する吐水部を有する水栓装置と、除菌作用を有する機能水を吐出する機能水吐出装置と、を備え、前記機能水吐出装置から吐出された前記機能水のうちの少なくとも一部は、前記排水栓の上面に着水し、前記吐水部から吐出された前記水道水は、前記機能水の吐出中に前記上面に着水しないように前記排水栓から離れた位置に着水することを特徴とする洗面化粧台が提供される。【選択図】図５
2017128862.tif 000002
【特許請求の範囲】
【請求項１】
排水口が設けられたボウル部および前記排水口を開閉可能な排水栓を有する洗面台と、
前記ボウル部に水道水を吐出する吐水部を有する水栓装置と、
除菌作用を有する機能水を吐出する機能水吐出装置と、
を備え、
前記機能水吐出装置から吐出された前記機能水のうちの少なくとも一部は、前記排水栓の上面に着水し、
前記吐水部から吐出された前記水道水は、前記機能水の吐出中に前記上面に着水しないように前記排水栓から離れた位置に着水することを特徴とする洗面化粧台。
【請求項２】
前記水栓装置は、正面からみたときに上下方向において前記排水栓と重ならない位置に配置されたことを特徴とする請求項１記載の洗面化粧台。
【請求項３】
前記ボウル部の表面は、前記排水口に向かって下方へ傾斜し、
前記排水栓が前記排水口を開いた状態において、前記排水栓の上面の縁部は、前記排水口よりも高い位置に設けられたことを特徴とする請求項１記載の洗面化粧台。
【請求項４】
前記排水栓が前記排水口を開いた状態において、前記排水栓の上面の縁部は、前記吐水部から吐出された前記水道水が前記ボウル部に着水する着水領域よりも高い位置に設けられたことを特徴とする請求項３記載の洗面化粧台。
【請求項５】
前記水道水が前記吐水部から最大流量で吐出されたときに前記ボウル部から前記排水口の内部へ流れる前記水道水の厚さは、前記排水栓が前記排水口を開いた状態における前記排水栓と前記排水口との間の隙間よりも薄いことを特徴とする請求項３または４に記載の洗面化粧台。
【発明の詳細な説明】
【技術分野】
【０００１】
本発明の態様は、一般的に、洗面化粧台に関する。
【背景技術】
【０００２】
一般的に、排水口が設けられたボウル部を有する洗面台と、ボウル部に水を吐出する吐水部を有する水栓装置と、を備えた洗面化粧台が知られている。また、除菌作用を有する機能水を生成する電解水生成手段と、電解水生成手段により生成された機能水を水周り設備に散布する電解水散布手段と、を備えた水周り設備洗浄装置が知られている（特許文献１）。特許文献１に記載された水周り設備洗浄装置によれば、ボウル部の表面における菌の繁殖を抑えることができる。
【０００３】
洗面化粧台のボウル部の表面を流れる水のほとんど全ては、排水口へ流れる。そのため、ボウル部のうちで排水口は、最も濡れる機会が多い。濡れた箇所には黴や細菌が繁殖しやすいため、排水口では黴や細菌が多く繁殖している。また、例えば使用者の操作により排水口を開閉させることができる排水栓が排水口の部分に常設されている場合においては、排水栓にも黴や細菌が繁殖しやすい。したがって、排水栓の上面に機能水を吐出することが望ましい。
【０００４】
ここで、排水栓の上面に機能水を吐出する場合において、機能水が排水栓の上面に着水している最中に、吐水装置から吐出された通常水（例えば水道水）が排水栓の上面に着水すると、機能水は、排水栓の上面の菌と反応する前に通常水により排水口へ流される。この場合には、排水栓の上面における黴の発生や細菌の繁殖を抑制する効果が低いという問題がある。
【先行技術文献】
【特許文献】
【０００５】
【特許文献１】特開平１０−２８７２１号公報
【発明の概要】
【発明が解決しようとする課題】
【０００６】
本発明は、かかる課題の認識に基づいてなされたものであり、吐出された機能水により排水栓の上面における黴の発生や細菌の繁殖を抑制することができる洗面化粧台を提供することを目的とする。
【課題を解決するための手段】
【０００７】
第１の発明は、排水口が設けられたボウル部および前記排水口を開閉可能な排水栓を有する洗面台と、前記ボウル部に水道水を吐出する吐水部を有する水栓装置と、除菌作用を有する機能水を吐出する機能水吐出装置と、を備え、前記機能水吐出装置から吐出された前記機能水のうちの少なくとも一部は、前記排水栓の上面に着水し、前記吐水部から吐出された前記水道水は、前記機能水の吐出中に前記上面に着水しないように前記排水栓から離れた位置に着水することを特徴とする洗面化粧台である。
【０００８】
この洗面化粧台によれば、機能水吐出装置から吐出された機能水のうちの少なくとも一部は、排水栓の上面に着水する。一方で、吐水部から吐出された水道水は、機能水の吐出中に排水栓の上面に着水しないように排水栓から離れた位置に着水する。これにより、機能水が排水栓の上面に着水している最中に、排水栓の上面が吐水部から吐出された水道水によって覆われることを抑えることができる。そのため、機能水が排水栓の表面の菌と反応する前に、水道水によって排水口へ流されることを抑制することができる。したがって、吐出された機能水により排水栓の上面における黴の発生や細菌の繁殖を抑制することができる。
【０００９】
第２の発明は、第１の発明において、前記水栓装置は、正面からみたときに上下方向において前記排水栓と重ならない位置に配置されたことを特徴とする洗面化粧台である。
【００１０】
この洗面化粧台によれば、水栓装置が正面からみたときに上下方向において排水栓と重ならない位置に配置されているため、水栓装置の「吐水始め」および「吐水終わり」に吐水部から垂れる水が排水栓に当たることを抑えることができる。言い換えると、吐水部から吐出される水道水の着水位置の軌跡上に排水栓が重ならないようになるため、水道水が排水栓に当たる可能性を低減させることができる。これにより、機能水が排水栓の表面の菌と反応する前に、水道水によって排水口へ流されることを抑制することができる。
【００１１】
第３の発明は、第１の発明において、前記ボウル部の表面は、前記排水口に向かって下方へ傾斜し、前記排水栓が前記排水口を開いた状態において、前記排水栓の上面の縁部は、前記排水口よりも高い位置に設けられたことを特徴とする洗面化粧台である。
【００１２】
この洗面化粧台によれば、排水栓が排水口を開いた状態において、排水栓の上面の縁部が排水口よりも高い位置に設けられているため、ボウル部の表面を流れる水道水が排水口に向かって流れ込む際に、流れの勢いで排水栓の上面に乗って流れることを抑制することができる。
【００１３】
第４の発明は、第３の発明において、前記排水栓が前記排水口を開いた状態において、前記排水栓の上面の縁部は、前記吐水部から吐出された前記水道水が前記ボウル部に着水する着水領域よりも高い位置に設けられたことを特徴とする洗面化粧台である。
【００１４】
この洗面化粧台によれば、排水栓が排水口を開いた状態において、排水栓の上面の縁部が吐水部から吐出された水道水がボウル部に着水する着水領域よりも高い位置に設けられているため、吐水部から吐出された水道水がボウル部に着水する際に生ずる水しぶきが、排水栓の上面に当たることを抑制することができる。
【００１５】
第５の発明は、第３または４の発明において、前記水道水が前記吐水部から最大流量で吐出されたときに前記ボウル部から前記排水口の内部へ流れる前記水道水の厚さは、前記排水栓が前記排水口を開いた状態における前記排水栓と前記排水口との間の隙間よりも薄いことを特徴とする洗面化粧台である。
【００１６】
この洗面化粧台によれば、水道水が吐水部から最大流量で吐出されたときにボウル部から排水口の内部へ流れる水道水の厚さが、排水栓が排水口を開いた状態における排水栓と排水口との間の隙間よりも薄いため、吐水部から吐出された水道水が排水口に向かって流れる際に、排水栓の上面に流れることを抑制することができる。
【発明の効果】
【００１７】
本発明の態様によれば、吐出された機能水により排水栓の上面における黴の発生や細菌の繁殖を抑制することができる洗面化粧台が提供される。
【図面の簡単な説明】
【００１８】
【図１】本発明の実施の形態にかかる洗面化粧台を表す模式的斜視図である。
【図２】本実施形態にかかる洗面化粧台の要部構成を表すブロック図である。
【図３】本実施形態の機能水吐出装置の具体例を例示する模式的斜視図である。
【図４】本実施形態の機能水生成部の具体例を表す模式的断面図である。
【図５】本実施形態のボウル部の近傍を表す模式的斜視図である。
【図６】本実施形態のボウル部を上から眺めた模式的平面図である。
【図７】図６に表した切断面Ｃ７−Ｃ７における模式的断面図である。
【図８】図６に表した切断面Ｃ８−Ｃ８における模式的断面図である。
【図９】図６に表した切断面Ｃ９−Ｃ９における模式的断面図である。
【図１０】図７に表した切断面Ｃ１０−Ｃ１０における模式的断面図である。
【発明を実施するための形態】
【００１９】
以下、本発明の実施の形態について図面を参照しつつ説明する。なお、各図面中、同様の構成要素には同一の符号を付して詳細な説明は適宜省略する。  
図１は、本発明の実施の形態にかかる洗面化粧台を表す模式的斜視図である。  
図２は、本実施形態にかかる洗面化粧台の要部構成を表すブロック図である。  
図３は、本実施形態の機能水吐出装置の具体例を例示する模式的斜視図である。  
図４は、本実施形態の機能水生成部の具体例を表す模式的断面図である。
【００２０】
本実施形態にかかる洗面化粧台１００は、洗面台１１０と、水栓装置１２０と、機能水吐出装置１３０と、を備える。図１に表したように、洗面台１１０は、例えばキャビネット１９２の上に設けられている。洗面台１１０の上には、化粧鏡１９１が設けられていてもよい。なお、洗面台１１０の周囲に配置される部材は、キャビネット１９２および化粧鏡１９１だけには限定されない。
【００２１】
なお、本願明細書において、「上」、「下」、「右」および「左」という記載は、洗面化粧台１００の前で洗面化粧台１００を見た人を基準とした上、下、右および左をそれぞれいう。また、本願明細書においては、洗面化粧台１００から、洗面化粧台１００の前に居る人へ向かう方向を「前」方向とし、その逆方向を「後」方向とする。
【００２２】
洗面台１１０は、ボウル部１１１を有する。また、洗面台１１０は、排水口１１３（図５参照）を有する。排水口１１３の上には、排水栓１１２（図５参照）が設けられている。排水口１１３および排水栓１１２の詳細については、後述する。
【００２３】
図２に表したように、水栓装置１２０は、吐水部１２１を有する。吐水部１２１は、ボウル部１１１に水道水１６７を吐出する。具体的に説明すると、水栓装置１２０は、分岐金具１４２および開閉弁１４４を介して給水源１４５に接続されている。分岐金具１４２は、例えばボウル部１１１の下に設けられている。水道水１６７は、水栓装置１２０の操作部である操作レバー１２２への手動操作により開閉弁１４４が開状態となった際に、開閉弁１４４を通って吐水部１２１からボウル部１１１に吐出される。なお、本実施形態において、操作レバー１２２および開閉弁１４４は、互いに一体に設けられている。
【００２４】
機能水吐出装置１３０は、操作部１３１を有する。例えば使用者が操作部１３１を操作すると、機能水吐出装置１３０は、除菌作用を有する機能水１６１を霧状に吐出する。霧状の機能水１６１の粒子径は、分布をもっており、サブミクロンオーダーのものから、２０００マイクロメートル（μｍ）を越えるものまで存在する。霧状の機能水１６１の平均粒子径は、例えば約２００μｍ以上１５００μｍ以下程度である。図２に表したように、機能水吐出装置１３０は、分岐金具１４２および電磁弁１４３を介して給水源１４５に接続されている。電磁弁１４３は、例えばボウル部１１１の下に設けられている。電磁弁１４３と機能水吐出装置１３０との間には、機能水生成部１５０が設けられている。
【００２５】
機能水生成部１５０は、除菌作用を有する機能水１６１を生成する。例えば、図４に表したように、機能水生成部１５０は、陽極１５１と、陰極１５２と、を内部に有し、制御部１４１から出力された通電の制御信号により、陽極１５１と、陰極１５２と、の間の空間（流路）を流れる水道水を電気分解することができる。水道水は、塩化物イオンを含んでいる。塩化物イオンは、水源（例えば、地下水や、ダムの水や、河川などの水）に例えば食塩（ＮａＣｌ）や塩化カルシウム（ＣａＣｌ２）などとして含まれている。
【００２６】
そこで、電圧が陽極１５１と陰極１５２との間に供給されると、式（１）に表した反応が陰極１５２において生ずる。
Ｈ＋＋ｅ−  →  １／２Ｈ２↑                 ・・・（１）
【００２７】
一方で、電圧が陽極１５１と陰極１５２との間に供給されると、式（２）および式（３）に表した反応が陽極１５１において生ずる。
２ＯＨ−  →  ２ｅ−＋Ｈ２Ｏ＋１／２Ｏ２↑    ・・・（２）
Ｃｌ−  →  ｅ−＋１／２Ｃｌ２               ・・・（３）
【００２８】
式（３）において発生した塩素は気泡としては存在しにくく、ほとんどの塩素は水に溶解する。そのため、式（３）において発生した塩素については、式（４）に表した反応が生ずる。このようにして、塩化物イオンを電気分解することにより次亜塩素酸（ＨＣｌＯ）が生成される。その結果、機能水生成部１５０において電気分解された水は、次亜塩素酸を含む液に変化する。
Ｃｌ２＋Ｈ２Ｏ  →  ＨＣｌＯ＋Ｈ＋＋Ｃｌ−    ・・・（４）
【００２９】
次亜塩素酸は、除菌成分として機能する。次亜塩素酸を含む液は、例えばボウル部１１１や排水口１１３、排水口１１３の内部１１６、ヘアキャッチャー１６５（図９参照）などに付着している細菌を除菌することができる。
【００３０】
機能水が細菌と反応すると、式（５）に表した反応が生ずる。
Ｒ−Ｈ＋ＨＣｌＯ  →  Ｒ−ＯＨ＋Ｈ＋＋Ｃｌ−    ・・・（５）
式（５）の中に表した「Ｒ−Ｈ」は、有機物であり、例えば細菌の細胞である。式（５）の中に表した「Ｒ−ＯＨ」は、分解された有機物である。これにより、細菌の細胞が変性され、除菌（殺菌）が行われる。そして、機能水が細菌と反応すると、除菌成分（ＨＣｌＯ）が失われるため、結果として、機能水（除菌水）の濃度が下がる。
【００３１】
また、時間が経つと、式（６）に表した反応が生ずる。
２ＨＣｌＯ  →  ２Ｈ＋＋２Ｃｌ−＋Ｏ２    ・・・（６）
このように、時間が経つと、除菌成分（ＨＣｌＯ）が失われるため、結果として、機能水（除菌水）の濃度が下がる。
【００３２】
なお、本実施形態の機能水生成部１５０は、次亜塩素酸を含む液を生成することには限定されない。例えば、機能水生成部１５０において生成される機能水１６１は、オゾンなどを含む液であってもよい。また、機能水生成部１５０は、陽極板および陰極板を有する電解槽ユニットに限定されるわけではない。
【００３３】
制御部１４１が電磁弁１４３に信号を送信し電磁弁１４３を開くと、給水源１４５から供給された水道水は、分岐金具１４２および電磁弁１４３を通って機能水生成部１５０に供給される。機能水生成部１５０に供給された水道水は、機能水生成部１５０において機能水１６１として生成され、機能水吐出装置１３０からボウル部１１１に吐出される。
【００３４】
例えば、図３に表したように、機能水吐出装置１３０は、操作部１３１と、機能水吐水部１３２と、照射部１３３と、を有する。機能水吐出装置１３０は、例えば使用者が操作部１３１を操作すると、機能水生成部１５０により生成された機能水１６１を機能水吐水部１３２からボウル部１１１に向けて吐出する。機能水吐出装置１３０は、照射部１３３から光を放出し、機能水吐水部１３２から吐出された機能水１６１に光を照射してもよい。
【００３５】
機能水吐出装置１３０から吐出された機能水１６１のうちの少なくとも一部は、排水栓１１２の上面に着水する。また、吐水部１２１から吐出された水道水１６７は、機能水吐出装置１３０が機能水１６１を吐出している最中に排水栓１１２の上面に着水しないように、排水栓１１２から離れた位置に着水する。これについて、図面を参照しつつさらに説明する。
【００３６】
図５は、本実施形態のボウル部の近傍を表す模式的斜視図である。  
図６は、本実施形態のボウル部を上から眺めた模式的平面図である。  
図７は、図６に表した切断面Ｃ７−Ｃ７における模式的断面図である。  
図８は、図６に表した切断面Ｃ８−Ｃ８における模式的断面図である。
【００３７】
図５〜図８に表したように、ボウル部１１１は排水口１１３を有する。図７および図８に表したように、ボウル部１１１の表面１１５には、排水口１１３に向かって下方に傾斜した排水勾配が形成されている。排水口１１３の上には、排水栓１１２が設けられている。排水栓１１２は、排水口１１３の部分に常設され、上下方向に昇降することにより排水口１１３を開閉することができる。
【００３８】
本実施形態にかかる洗面化粧台１００では、機能水吐出装置１３０から霧状に吐出された機能水１６１は、排水栓１１２を含む所定領域Ａ１に着水する。すなわち、機能水吐出装置１３０から霧状に吐出された機能水１６１のうちの少なくとも一部は、排水栓１１２の上面１１７に着水する。
【００３９】
ここで、機能水吐出装置から吐出された機能水が排水栓の上面に着水している最中に、吐水装置から吐出された水道水が排水栓の上面に着水すると、機能水は、排水栓の上面の菌と反応する前に水道水により排水口へ流される。この場合には、排水栓の上面における黴の発生や細菌の繁殖を抑制する効果が比較的低いという問題がある。
【００４０】
これに対して、本実施形態にかかる洗面化粧台１００では、図５および図７に表したように、機能水吐出装置１３０が機能水１６１を吐出している最中に、吐水部１２１から吐出された水道水１６７は、排水栓１１２の上面１１７に着水しないように排水栓１１２の上面１１７から離れた位置に着水する。
【００４１】
これによれば、機能水１６１が排水栓１１２の上面１１７に着水している最中に、排水栓１１２の上面１１７が吐水部１２１から吐出された水道水１６７によって覆われることを抑えることができる。そのため、機能水１６１が排水栓１１２の表面（例えば、上面１１７）の菌と反応する前に、水道水１６７によって排水口１１３へ流されることを抑制することができる。したがって、機能水吐出装置１３０から吐出された機能水１６１により排水栓１１２の上面１１７における黴の発生や細菌の繁殖を抑制することができる。
【００４２】
また、図７に表したように、本実施形態にかかる洗面化粧台１００を正面からみたときに、水栓装置１２０は、上下方向において排水栓１１２と重ならない位置に配置されている。言い換えれば、本実施形態にかかる洗面化粧台１００を正面からみたときに、水栓装置１２０は、排水栓１１２から左右方向にずれた位置に配置されている。
【００４３】
これによれば、水栓装置１２０の「吐水始め」および「吐水終わり」に吐水部１２１から垂れる水道水１６７が排水栓１１２に当たることを抑えることができる。言い換えると、吐水部１２１から吐出される水道水１６７の着水位置の軌跡上に排水栓１１２が重ならないようになるため、水道水１６７が排水栓１１２に当たる可能性を低減させることができる。これにより、機能水１６１が排水栓１１２の表面（例えば、上面１１７）の菌と反応する前に、水道水１６７によって排水口１１３へ流されることを抑制することができる。
【００４４】
図９は、図６に表した切断面Ｃ９−Ｃ９における模式的断面図である。  
図９に表したように、ボウル部１１１の表面１１５は、排水口１１３に向かって下方へ傾斜している。そのため、吐水部１２１からボウル部１１１に吐出された水道水１６７は、ボウル部１１１の表面１１５に沿って流れ、排水口１１３の内部１１６に流入する。
【００４５】
ここで、排水栓１１２が排水口１１３を開いた状態において、排水栓１１２の上面１１７の縁部１１８は、排水口１１３よりも高い位置に設けられている。例えば、排水栓１１２が排水口１１３を開いた状態において、排水栓１１２の上面１１７の縁部１１８は、排水口１１３よりも距離Ｄ１だけ高い位置に設けられている。これによれば、ボウル部１１１の表面１１５を流れる水道水１６７が排水口１１３に向かって流れ込む際に、流れの勢いで排水栓１１２の上面１１７に乗って流れることを抑制することができる。
【００４６】
また、図９に表したように、吐水部１２１から吐出された水道水１６７は、排水栓１１２の上面１１７に着水しないように排水栓１１２の上面１１７から離れた着水領域Ａ２なに着水する。排水栓１１２が排水口１１３を開いた状態において、排水栓１１２の上面１１７の縁部１１８は、着水領域Ａ２よりも高い位置に設けられている。例えば、排水栓１１２が排水口１１３を開いた状態において、排水栓１１２の上面１１７の縁部１１８は、着水領域Ａ２のうちで最も高い位置よりも距離Ｄ２だけ高い位置に設けられている。
【００４７】
これによれば、吐水部１２１から吐出された水道水１６７がボウル部１１１に着水する際に生ずる水しぶきが、排水栓１１２の上面１１７に当たることを抑制することができる。
【００４８】
また、水道水１６７が吐水部１２１から最大流量で吐出されたときにボウル部１１１から排水口１１３の内部１１６へ流れる水道水１６７の厚さは、排水栓１１２が排水口１１３を開いた状態における排水栓１１２と排水口１１３との間の隙間よりも薄い。言い換えれば、水道水１６７が吐水部１２１から最大流量で吐出されたときにボウル部１１１から排水口１１３の内部１１６へ流れる水道水１６７と排水口１１３との間の距離Ｄ３は、排水栓１１２が排水口１１３を開いた状態における排水栓１１２と排水口１１３との間の距離Ｄ４よりも長い。
【００４９】
これによれば、吐水部１２１から吐出された水道水１６７が排水口１１３に向かって流れる際に、排水栓１１２の上面１１７に流れることを抑制することができる。
【００５０】
図１０は、図７に表した切断面Ｃ１０−Ｃ１０における模式的断面図である。  
図７および図１０に表したように、機能水１６１は、機能水吐出装置１３０から円錐状に吐出される。円錐状に吐出された機能水１６１の内部の空間は、霧状の機能水１６１で満たされている。つまり、機能水吐出装置１３０から吐出された機能水１６１の吐水形態は、充円錐吐水である。これにより、排水栓１１２の上面１１７おける黴の発生や細菌の繁殖をより確実に抑制することができる。
【００５１】
以上、本発明の実施の形態について説明した。しかし、本発明はこれらの記述に限定されるものではない。前述の実施の形態に関して、当業者が適宜設計変更を加えたものも、本発明の特徴を備えている限り、本発明の範囲に包含される。例えば、機能水吐出装置１３０および機能水生成部１５０などが備える各要素の形状、寸法、材質、配置などや水栓装置１２０および機能水吐出装置１３０の設置形態などは、例示したものに限定されるわけではなく適宜変更することができる。  
また、前述した各実施の形態が備える各要素は、技術的に可能な限りにおいて組み合わせることができ、これらを組み合わせたものも本発明の特徴を含む限り本発明の範囲に包含される。
【符号の説明】
【００５２】
１００ 洗面化粧台、  １１０ 洗面台、  １１１ ボウル部、  １１２ 排水栓、  １１３ 排水口、  １１５ 表面、  １１６ 内部、  １１７ 上面、  １１８ 縁部、  １２０ 水栓装置、  １２１ 吐水部、  １２２ 操作レバー、  １３０ 機能水吐出装置、  １３１ 操作部、  １３２ 機能水吐水部、  １３３ 照射部、  １４１ 制御部、  １４２ 分岐金具、  １４３ 電磁弁、  １４４ 開閉弁、  １４５ 給水源、  １５０ 機能水生成部、  １５１ 陽極、  １５２ 陰極、  １６１ 機能水、  １６５ ヘアキャッチャー、  １６７ 水道水、  １９１ 化粧鏡、  １９２ キャビネット、  Ａ１ 所定領域、  Ａ２ 着水領域
【図１】
2017128862.tif 000003
【図２】
2017128862.tif 000004
【図３】
2017128862.tif 000005
【図４】
2017128862.tif 000006
【図５】
2017128862.tif 000007
【図６】
2017128862.tif 000008
【図７】
2017128862.tif 000009
【図８】
2017128862.tif 000010
【図９】
2017128862.tif 000011
【図１０】
2017128862.tif 000012